(57)【要約】【課題】  従来の生ごみをコンポスト化すなわち堆肥化させる様々な装置や器具は、微生物の反応を確実にするために温度の維持や換気、水分調整などを電気式、機械式の複雑な機構で行う必要があり、使用しづらく高価なものとなっている。【解決手段】  粉炭が収納されている発酵装置本体２と、蓋部３と、蓋部に設けられた外気と発酵装置本体内と連通するよう構成された木炭収納部４Ａを有する脱臭部４から構成されている生ごみの堆肥化装置内で、混ぜた生ごみ及び粉炭の上に木酢液を霧吹きで噴霧して処理しようとするものである。【選択図】    図１
2005289678.tif 000002
【特許請求の範囲】
【請求項１】
発酵装置本体（２）と、蓋部（３）と、脱臭部（４）から構成され、
発酵装置本体（２）は、発酵装置体（２Ａ）と粉炭（２Ｂ）から構成され、発酵装置体（２Ａ）は、上面が開口している容器状に構成され、発酵装置体（２Ａ）内の下方に粉炭（２Ｂ）が所定高さをもって敷き詰められ、
蓋部（３）は、発酵装置体（２Ａ）の上面を覆うよう構成され、
脱臭部（４）は、木炭収納部（４Ａ）と、粉炭（４Ｂ）と、外部カバー（４Ｃ）から構成され、木炭収納部（４Ａ）は、粉炭（４Ｂ）を収納した状態で蓋部（３）の頂部に配設され、当該木炭収納部は、発酵装置体（２Ａ）と外気に連通するよう構成され、外部カバー（４Ｃ）は、木炭収納部（４Ａ）における内部カバー（４Ａ２）の側壁外周と蓋部（３）の上面間に設けられたカバー面（４Ｃ１）が、外気に連通するよう構成されていることを特徴とする生ごみの堆肥化装置。
【請求項２】
発酵装置本体（２）と、蓋部（３）と、脱臭部（４）から構成され、
発酵装置本体（２）は、発酵装置体（２Ａ）と粉炭（２Ｂ）から構成され、発酵装置体（２Ａ）は、平面円形の底面（２Ａ１）と、底面に連設された円筒状の側壁（２Ａ２）から構成され、発酵装置体（２Ａ）内の下方に粉炭（２Ｂ）が所定高さをもって敷き詰められ、
蓋部（３）は、発酵装置体（２Ａ）の上面を覆うよう構成され、当該蓋部（３）の外方縁には発酵装置体（２Ａ）の上縁（２Ａ２１）に着脱自在に嵌合する溝（３Ａ）が形成され、
脱臭部（４）は、木炭収納部（４Ａ）と、粉炭（４Ｂ）と、外部カバー（４Ｃ）から構成され、木炭収納部（４Ａ）は、蓋部（３）の頂部に開設した開口部（４Ａ１）と、この開口部の上面を覆うよう取り付けられた碗状の内部カバー（４Ａ２）と、この開口部に着脱自在に張設された網（４Ａ３）から構成されていると共に、内部カバー（４Ａ２）の側壁には通気孔（４ＡＨ）が適数個開設され、粉炭（４Ｂ）は、木炭収納部（４Ａ）内に充填され、外部カバー（４Ｃ）は、木炭収納部（４Ａ）における内部カバー（４Ａ２）の側壁外周と蓋部（３）の上面間に設けられたカバー面（４Ｃ１）から構成されていると共に、このカバー面には通気孔（４ＣＨ）が適数個開設されていることを特徴とする生ごみの堆肥化装置。
【請求項３】
発酵装置本体（２）の底面（２Ａ１）と側壁（２Ａ２）は断熱材（１１Ａ）で処理され、また、蓋部（３）も断熱材（１１Ａ）で処理して構成されている請求項１あるいは請求項２記載の生ごみの堆肥化装置。
【請求項４】
請求項１ないし請求項３のいずれかに記載の生ごみの堆肥化装置を用いて、下記の各工程から構成されていることを特徴とする生ごみの堆肥化装置の使用方法。
第１工程
発酵装置本体（２）の中に、高さ約１／３の所まで粉炭（２Ｂ）を入れる。
第２工程
家庭で発生した生ごみ（５）を粉炭（２Ｂ）と混ぜ合わせる。
第３工程
混ぜた生ごみ（５）及び粉炭（２Ｂ）の上に木酢液（６）を霧吹きで噴霧する。
第４工程
第２、第３工程を繰り返し、ごみの量に応じ粉炭（２Ｂ）を増やしていく。
【発明の詳細な説明】
【技術分野】
【０００１】
本発明は、新規な構成を有する生ごみの堆肥化装置と生ごみの堆肥化装置の使用方法に関するものである。
【背景技術】
【０００２】
従来、家庭の生ごみの処理は、清掃工場に運び焼却炉で焼却するか、地中に埋設するなどされていた。
しかし、清掃工場に運び焼却炉で焼却する場合は、所謂ダイオキシンの問題があり、地中に埋設する場合は、腐敗による悪臭、害虫の繁殖の問題が指摘されている。
【０００３】
この改善策として、コンポスト化すなわち堆肥化させることで上記問題を解決すべく、様々な装置や器具が提案されている。（特許文献１、２）
【特許文献１】特開平５−２２１７６６号公報
【特許文献２】特開平６−１２２５８２号公報
【発明の開示】
【発明が解決しようとする課題】
【０００４】
従来の生ごみ発酵装置については、下記のような問題点を指摘することができる。
これらは、微生物の反応を確実にするために温度の維持や換気、水分調整などを電気式、機械式の複雑な機構で行う必要があり、また、使用しづらく高価なものとなっている。
生ごみを堆肥化し資源にすることができても、電気代がかかるのでは本当の資源化にはならない。
【課題を解決するための手段】
【０００５】
本発明は、上述のような問題を解決するため、下記のようになるものである。
【０００６】
請求項１記載の発明は、発酵装置本体２と、蓋部３と、脱臭部４から構成され、
Ａ．発酵装置本体２は、発酵装置体２Ａと粉炭２Ｂから構成され、発酵装置体２Ａは、上面が開口している容器状に構成され、発酵装置体２Ａ内の下方に粉炭２Ｂが所定高さをもって敷き詰められ、
Ｂ．蓋部３は、発酵装置体２Ａの上面を覆うよう構成され、
Ｃ．脱臭部４は、木炭収納部４Ａと、粉炭４Ｂと、外部カバー４Ｃから構成され、
ｃ１．木炭収納部４Ａは、粉炭４Ｂを収納した状態で蓋部３の頂部に配設され、当該木炭収納部は、発酵装置体２Ａと外気に連通するよう構成され、
ｃ２．外部カバー４Ｃは、木炭収納部４Ａにおける内部カバー４Ａ２の側壁外周と蓋部３の上面間に設けられたカバー面４Ｃ１が、外気に連通するよう構成されていることを特徴とするものである。
【０００７】
請求項２記載の発明は、発酵装置本体２と、蓋部３と、脱臭部４から構成され、
Ａ．発酵装置本体２は、発酵装置体２Ａと粉炭２Ｂから構成され、発酵装置体２Ａは、平面円形の底面２Ａ１と、底面に連設された円筒状の側壁２Ａ２から構成され、発酵装置体２Ａ内の下方に粉炭２Ｂが所定高さをもって敷き詰められ、
Ｂ．蓋部３は、発酵装置体２Ａの上面を覆うよう構成され、当該蓋部３の外方縁には発酵装置体２Ａの上縁２Ａ２１に着脱自在に嵌合する溝３Ａが形成され、
Ｃ．脱臭部４は、木炭収納部４Ａと、粉炭４Ｂと、外部カバー４Ｃから構成され、
ｃ１．木炭収納部４Ａは、蓋部３の頂部に開設した開口部４Ａ１と、この開口部の上面を覆うよう取り付けられた碗状の内部カバー４Ａ２と、この開口部に着脱自在に張設された網４Ａ３から構成されていると共に、内部カバー４Ａ２の側壁には通気孔４ＡＨが適数個開設され、
ｃ２．粉炭４Ｂは、木炭収納部４Ａ内に充填され、
ｃ３．外部カバー４Ｃは、木炭収納部４Ａにおける内部カバー４Ａ２の側壁外周と蓋部３の上面間に設けられたカバー面４Ｃ１から構成されていると共に、このカバー面には通気孔４ＣＨが適数個開設されていることを特徴とするものである。
【０００８】
請求項３記載の発明は、請求項１あるいは請求項２記載の発明において、発酵装置本体２の底面２Ａ１と側壁２Ａ２は断熱材１１Ａで処理され、また、蓋部３も断熱材１１Ａで処理して構成されていることを特徴とするものである。
【０００９】
請求項４記載の発明は、請求項１ないし請求項３のいずれかに記載の発明を用いて、下記の各工程から構成されていることを特徴とするものである。
第１工程
発酵装置本体２の中に、高さ約１／３の所まで粉炭２Ｂを入れる。
第２工程
家庭で発生した生ごみ５を粉炭２Ｂと混ぜ合わせる。
第３工程
混ぜた生ごみ５及び粉炭２Ｂの上に木酢液６を霧吹きで噴霧する。
第４工程
第２、第３工程を繰り返し、ごみの量に応じ粉炭２Ｂを増やしていく。
【発明の効果】
【００１０】
本発明は、下記の効果を期待することができる。
粉炭と木酢液の二種類を用いて生ごみを好質菌で分解し、無臭で有機肥料ができる。
粉炭２Ｂを敷き詰めるから、炭には水分の調湿能力、脱臭能力があるため、生ごみを堆肥化することに有効である。
木酢を利用するから、木酢液は雑菌を殺し抗菌性が高いので、好質菌を大量に繁殖させることができる。
すなわち、生ごみに木酢液を噴霧すると、木酢液の殺菌効果で腐敗菌などを死滅させ、木酢液に含まれている好質菌バクテリアが大量に発生し、生ごみが無臭で確実に分解される。
【発明を実施するための最良の形態】
【００１１】
発明の実施の形態を実施例に基づき図面を参照して説明する。
１は第１発明の生ごみの堆肥化装置である。
そこで、この生ごみの堆肥化装置１は、発酵装置本体２と、蓋部３と、脱臭部４から構成されている。
【００１２】
Ａ．発酵装置本体２は、発酵装置体２Ａと粉炭２Ｂから構成されている。
発酵装置体２Ａは、平面円形の底面２Ａ１と、底面に連設された円筒状の側壁２Ａ２と、側壁の外周面の上方左右に取り付けられた把手２Ａ３から構成されている。
粉炭２Ｂは、発酵装置体２Ａ内の下方に所定高さをもって敷き詰められている。
【００１３】
Ｂ．蓋部３は、発酵装置体２Ａの上面を覆うよう構成され、当該蓋部３の外方縁には発酵装置体２Ａの上縁２Ａ２１に着脱自在に嵌合する溝３Ａが形成されている。
【００１４】
Ｃ．脱臭部４は、木炭収納部４Ａと、粉炭４Ｂと、外部カバー４Ｃから構成されている。
ｃ１．木炭収納部４Ａは、蓋部３の頂部に開設した開口部４Ａ１と、この開口部の上面を覆うよう取り付けられた碗状の内部カバー４Ａ２と、この開口部に着脱自在に張設された網４Ａ３から構成されていると共に、内部カバー４Ａ２の側壁には通気孔４ＡＨが適数個開設されている。
ｃ２．粉炭４Ｂは、木炭収納部４Ａ内に充填されている。
ｃ３．外部カバー４Ｃは、木炭収納部４Ａにおける内部カバー４Ａ２の側壁外周と蓋部３の上面間に設けられたカバー面４Ｃ１から構成されていると共に、このカバー面には通気孔４ＣＨが適数個開設されている。
図中、４Ｄは内部カバー４Ａ２の頂面に突設された把手である。
【００１５】
１１は他の実施例の生ごみの堆肥化装置である。
そこで、この生ごみの堆肥化装置１１は、第１発明である生ごみの堆肥化装置１における発酵装置本体２の底面２Ａ１と側壁２Ａ２は断熱材１１Ａで処理され、また、蓋部３も断熱材１１Ａで処理して構成されている。
これ以外の構成は生ごみの堆肥化装置１における構成と同一である。
【００１６】
第２発明は、生ごみの堆肥化装置１、１１の使用方法である。
この使用方法は、下記の各工程から構成されている。
【００１７】
第１工程
発酵装置本体２の中に、高さ約１／３の所まで粉炭２Ｂを入れる。
（この時には木炭収納部４Ａには粉炭４Ｂが入れてある。）
第２工程
家庭で発生した生ごみ５を粉炭２Ｂと混ぜ合わせる。
この時、生ごみは粉炭２Ｂで被せられた状態にしておく。
第３工程
混ぜた生ごみ５及び粉炭２Ｂの上に木酢液６を霧吹きで噴霧する。
第４工程
第２、第３工程を繰り返し、ごみの量に応じ粉炭２Ｂを増やしていく。（常に生ごみ５は粉炭２Ｂでかくれるようにする。）
２、３週間で生ごみは粉炭と共にパサパサの状態になる。
【実施例１】
【００１８】
Ａ．発酵装置本体２と蓋部３と脱臭部４は合成樹脂などを素材として構成されている。
Ｂ．発酵装置本体２については図示は省略するが、底面２Ａ１を平面方形に構成し、側壁２Ａ２を角筒状に構成することもできる。
Ｃ．他の実施例の生ごみの堆肥化装置１１において、図３を参照して、発酵装置本体２の底面２Ａ１などに対する断熱材１１Ａの処理状態は、底面２Ａ１などを二重構造にして内部に断熱材を充填すると良い。
【図面の簡単な説明】
【００１９】
【図１】斜視図である。
【図２】同上の縦断面図である。
【図３】他の実施例の縦断面図である。
【符号の説明】
【００２０】
１  生ごみの堆肥化装置
２  発酵装置本体
３  蓋部
４  脱臭部
１１  他の実施例の生ごみの堆肥化装置
【図１】
2005289678.tif 000003
【図２】
2005289678.tif 000004
【図３】
2005289678.tif 000005